(57)【要約】【課題】反発電磁誘導の３相交流発電機と既存の吸引電磁誘導の３相交流発電機を組合せて構成する二連界磁回転子（５Ａと５Ｂ）３相交流複合発電機の飛躍的な発電効率向上の出力回路機構を課題とする。【解決手段】二連界磁回転子（５Ａと５Ｂ）３相交流複合発電機の反発電磁力エネルギーと吸引磁気力エネルギーを二連界磁回転子（５Ａと５Ｂ）で合成する相殺効果により、発電効率向上を達成する３相交流複合電機子合成出力回路と３相交流全波整流出力回路。【選択図】図１０
2006158165.tif 000002
【特許請求の範囲】
【請求項１】
二連界磁回転子（５Ａと５Ｂ）の超電導界磁（５Ａ）及び３組の反発誘導電機子（１−Ａ’、１−Ｂ’、１−Ｃ’）がＡ’（１−Ａ’）相を基準とするＡ’相、Ｂ’相、Ｃ’相平衡三相交流反発誘導電流（１Ａ）部（図１）と可変界磁（５Ｂ）及び３組の吸引誘導電機子（２−Ａ’、２−Ｂ’、２−Ｃ’）がＡ’（２−Ａ’）相を基準とするＡ’相、Ｂ’相、Ｃ’相平衡三相交流吸引誘導電流（２Ａ）部（図２）を組合せた平衡三相交流星型結線又は三角結線複合発電機。
【請求項２】
合成誘導電流（１Ａと２Ａ）が同方向へ流れるように、Ａ’相反発誘導電機子（１−Ａ’）出力トランス（６）出力終端子とＡ相’吸引誘導電機子（２−Ａ’）終端子を並列に接続し、反発誘導電機子（１−Ａ’）出力トランス（６）出力始端子と吸引誘導電機子（２−Ａ’）始端子を並列に接続する並列接続Ａ’相複合電機子（１−Ａ’と２−Ａ’）と同様に並列接続Ｂ’相複合電機子（１−Ｂ’と２−Ｂ’）と並列接続Ｃ’相複合電機子（１−Ｃ’と２−Ｃ’）３組の並列接続複合電機子（１−Ａ’と２−Ａ’、１−Ｂ’と２−Ｂ’、１−Ｃ’と２−Ｃ’）を構成して、３組の終端子３本を接続中性点とし、始端子３本をＡ’相、Ｂ’相、Ｃ’相の平衡三相交流出力端子とする三相交流並列接続星形結線複合電機子合成出力回路（図３）
【請求項３】
合成誘導電流（１Ａと２Ａ）が同方向へ流れるように、Ａ’相反発誘導電機子（１−Ａ’）出力トランス（６）の始端子とＡ’相吸引誘導電機子（２−Ａ’）の終端子を直列に接続する直列接続Ａ’相複合電機子（１−Ａ’と２−Ａ’）を構成し、同様に直列接続Ｂ’相複合電機子（１−Ｂ’と２−Ｂ’）と直列接続Ｃ’相複合電機子（１−Ｃ’と２−Ｃ’）３組の直列接続複合電機子（１−Ａ’と２−Ａ’、１−Ｂ’と２−Ｂ’、１−Ｃ’と２−Ｃ’）を構成して、３組の反発誘導電機子（１−Ａ’と１−Ｂ’と１−Ｃ’）出力トランス（６）終端子３本を接続中性点とし、３組の吸引誘導電機子（２−Ａ’と２−Ｂ’と２−Ｃ’）の始端子３本をＡ’相、Ｂ’相、Ｃ’相の平衡三相交流出力端子とする三相交流直列接続星形結線複合電機子合成出力回路（図４）
【請求項４】
Ａ’相反発誘導電機子（１−Ａ’）出力トランス（６）の終端子とＡ’相吸引誘導電機子（２−Ａ’）の始端子を直列に接続する直列接続Ａ’相複合電機子（１−Ａ’と２−Ａ’）を構成し、同様に直列接続Ｂ’相複合電機子（１−Ｂ’と２−Ｂ’）と直列接続Ｃ’相複合電機子（１−Ｃ’と２−Ｃ’）３組の直列接続複合電機子（１−Ａ’と２−Ａ’、１−Ｂ’と２−Ｂ’、１−Ｃ’と２−Ｃ’）を構成して、３組の吸引誘導電機子（２−Ａ’と２−Ｂ’と２−Ｃ’）の終端子３本を接続中性点とし、３組の反発誘導電機子（１−Ａ’と１−Ｂ’と１−Ｃ’）出力トランス（６）の始端子３本をＡ’相、Ｂ’相、Ｃ’相の平衡三相交流出力端子とする三相交流直列接続星形結線複合電機子合成出力回路（図５）
【請求項５】
Ａ’相反発誘導電機子（１−Ａ’）出力トランス（６）の終端子とＡ’相吸引誘導電機子（２−Ａ’）の終端子を並列接続して、始端子と始端子を並列に接続する並列接続Ａ’相複合電機子（１−Ａ’と２−Ａ’）を構成し、同様に並列接続Ｂ’相複合電機子（１−Ｂ’と２−Ｂ’）と並列接続Ｃ’相複合電機子（１−Ｃ’と２−Ｃ’）３組の並列接続Ａ’相複合電機子（１−Ａ’と２−Ａ’）の終端子から次の並列接続Ｂ’相複合電機子（１−Ｂ’と２−Ｂ’）の始端子へこのＢ’相の終端子から次の並列接続Ｃ’相複合電機子（１−Ｃ’と２−Ｃ’）の始端子へと順次接続する接続３点をＡ’相、Ｂ’相、Ｃ’相の平衡三相交流出力端子とする三相交流並列接続三角結線複合電機子合成出力回路（図６）。
【請求項６】
Ａ’相吸引誘導電機子（２−Ａ）の終端子とＡ’相反発誘導電機子（１−Ａ’）出力トランス（６）の始端子を直列に接続する直列接続Ａ’相複合電機子（１−Ａ’と２−Ａ’）を構成し、同様に直列接続Ｂ’相複合電機子（１−Ｂ’と２−Ｂ’）と直列接続Ｃ’相複合電機子（１−Ｃ’と２−Ｃ’）の３組を、直列接続Ａ’相複合電機子（１−Ａ’と２−Ａ’）の終端子から次の直列接続Ｂ’相複合電機子（１−Ｂ’と２−Ｂ’）の始端子へ、このＢ’相の終端子から次の直列接続Ｃ’相複合電機子（１−Ｃ’と２−Ｃ’）の始端子へと順次終端から始端へと接続した接合３点をＡ’相、Ｂ’相、Ｃ’相の平衡三相交流出力端子とする三相交流直列接続三角結線複合電機子合成出力回路（図７）
【請求項７】
Ａ’相反発誘導電機子（１−Ａ’）出力トランス（６）の終端子とＡ’相吸引誘導電機子（２−Ａ’）の始端子を直列に接続する直列接続Ａ’相複合電機子（１−Ａ’と２−Ａ’）を構成して、同様に直列接続Ｂ’相複合電機子（１−Ｂ’と２−Ｂ’）と直列接続Ｃ’相複合電機子（１−Ｃ’と２−Ｃ’）の３組を、直列接続Ａ’相複合電機子（１−Ａ’と２−Ａ’）の終端子から次の直列接続Ｂ’相複合電機子（１−Ｂ’と２−Ｂ’）の始端子へ、このＢ’相の終端子から次の直列接続Ｃ’相複合電機子（１−Ｃ’と２−Ｃ’）の始端子へ、このＣ’相の終端子から最初の直列接続Ａ’相複合電機子（１−Ａ’と２−Ａ’）の始端子へ接続した接合３点をＡ’相、Ｂ’相、Ｃ’相の平衡三相交流出力端子とする三相交流直列接続三角結線複合電機子合成出力回路（図８）。
【請求項８】
三相交流星形結線反発誘導電機子（１−Ａ’、１−Ｂ’、１−Ｃ’）の三相交流反発誘導電流（１Ａ）Ａ’相、Ｂ’相、Ｃ’相全波整流回路と三相交流星形結線吸引誘導電機子（２−Ａ’、２−Ｂ’、２−Ｃ’）の三相吸引誘導電流（２Ａ）Ａ’相、Ｂ’相、Ｃ’相全波整流回路を構成して、両方の直流電流を合成する三相交流星形結線複合電機子の全波整流合成直流出力回路（図９）。
【請求項９】
三相交流三角結線反発誘導電機子（１−Ａ’、１−Ｂ’、１−Ｃ’）の三相交流反発誘導電流（１Ａ）Ａ’相、Ｂ’相、Ｃ’相全波整流回路と三相交流三角結線吸引誘導電機子（２−Ａ’、２−Ｂ’、２−Ｃ’）の三相交流吸引誘導電流（２Ａ）Ａ’相、Ｂ’相、Ｃ’相全波整流回路を構成して、両方の直流電流を合成する三相交流三角結線複合電機子の全波整流合成直流出力回路（図１０）。
【発明の詳細な説明】
【技術分野】
【０００１】  本発明は平衡三相交流複合発電機の三相交流複合電機子合成出力回路機構に関するものである。
【背景技術】
【０００２】  先願単相交流複合発電機の単相交流複合電機子合成出力回路と一連の三相交流複合電機子合成出力回路である。【０００３】
【特願文献１】
特願２００４−２５３５４５号
【発明の開示】
【発明が解決しようとする課題】
【０００４】  本発明は、先願に続く一連の界磁極及び鉄心電機子間の吸引力を利用する既存の吸引電磁誘導の界磁回転子（５Ｂ）界磁極及び３極（相順）吸引誘導電機子（２−Ａ’，２−Ｂ’，２−Ｃ’）鉄心磁極間の吸引磁気力と界磁極及び空心と同機能の反発誘導電機子反発誘導電流間の反発力を利用する反発電磁誘導の界磁回転子（５Ａ）界磁極及び３極（相順）反発誘導電機子（１−Ａ’，１−Ｂ’，１−Ｃ’）反発誘導電流間の反発電磁力を合成相殺する二連界磁回転子（５Ａと５Ｂ）の界磁極（５Ｂ）及び吸引誘導電機子（２−Ａ’，２−Ｂ’，２−Ｃ’）３極間の吸引回転抵抗原の吸引磁気エネルギーと界磁極（５Ａ）及び反発誘導電機子（１−Ａ’，１−Ｂ’，１−Ｃ’）３極間の反発回転抵抗原の反発電磁エネルギーの大半を合成して、相殺効果による誘導保存エネルギーへの変換相当分の合成回転抵抗減少により、最大電力出力時の最大相殺効果と最大発電効率を達成する平衡三相交流複合発電機の三相交流複合電機子合成出力回路機構を課題とする。
【発明を解決するための手段】
【０００５】  先願の単相交流複合発電機で明示した閉回路電磁誘導実験結果の全容は、電磁誘導の法則が場の変化過程の違いに起因する定常磁束（静磁束）発生の有無を分岐点にして、既存の定常磁束発生（過程）が介在する断続誘導原理の界磁磁束の変化を妨げる方向の誘導電流を示すファラディー、レンツの法則と新たに定常磁束発生過程がない連続誘導原理の界磁磁束に始終反発する方向の反発誘導電流を示す仮名反発電磁誘導の法則に二分される事を示すと共に、閉路電磁誘導の全容解明により、定常磁束発生過程の介在する断続誘導原理の変動磁束の中断により前半と後半に二分される半過程電磁誘導のファラディー、レンツの法則が、前半磁束増加時の半過程反発誘導電流（１Ａ）と定常磁束に制約され自己誘導により反転する後半磁束減少時の半過程吸引誘導電流（２Ａ）が一対を形成し混在する複雑な電磁誘導現象と比べて、定常磁束発生過程がない連続誘導原理の空心相互誘導に類似する変動磁束増減始終の全過程電磁誘導の仮名反発電磁誘導の法則は、単純な電磁誘導現象のため、自然の簡単な原理を表示する電磁方程式は、複雑な定常磁束の制約がない単純な反発電磁誘導の原理で表示すべき事を示し、閉路反発誘導電流の電気量が磁束の変化量に比例する積分表示の数式が、既存の積分表示の混同表示の数式と見掛が同じになり誤解の原因となるノイマンの半過程電磁誘導式と成り立ちの原理が異なる反発電磁誘導の全過程電磁誘導式を明確に区分して要約すれば、定常磁束が介在する断続誘導原理のファラディー、レンツの法則と自己誘導が関連する因果関係の原因が定常磁束介在の有無に由来し、その根元が零現象にあり、定常磁束が介在しない連続誘導原理の仮名反発電磁誘導の法則が空心相互誘導と全過程電磁誘導の類似関係の事象を示す本発明の平衡三相交流複合発電機は、仮名反発電磁誘導の法則の実験結果を基に、三相交流複合電機子合成出力回路を構成したものである。
【発明の効果】
【０００６】  本発明の平衡三相交流複合発電機の三相交流複合電機子合成出力回路機構は、回転上昇に比例して三相交流反発誘導電流（１Ａ）と共に増大する超電導界磁回転子（５Ａ）界磁極及び反発誘導電機子（１−Ａ’，１−Ｂ’，１−Ｃ’）３極間の反発電磁力と回転上昇並びに界磁電力に比例して三相交流吸引誘導電流（２Ａ）と共に増大する可変界磁回転子（５Ｂ）界磁極及び吸引誘導電機子（２−Ａ’，２−Ｂ’，２−Ｃ’）３極間の吸引磁気力が互いに逆向の力を同等に誘導する回転連動電圧制御（７）によって可変界磁回転子（５Ｂ）の界磁電力（励磁電流）調整による最大電力出力時の最大発電効率を目的に大方同等の相反する３極の反発電磁力と３極の吸引磁気力を二連界磁回転子（５Ａと５Ｂ）で合成する事により、合成回転エネルギーの大半を誘導保存エネルギーへ変換することで、誘導保存エネルギー相当分の合成回転抵抗減少の誘発原因となる電磁気特有の互いに相反する反発回転抵抗原の反発電磁力エネルギーと吸引回転抵抗原の吸引磁気力エネルギーの最大相殺効果により、超電導界磁回転子（５Ａ）の界磁電力（励磁電流）が大きく冷却負荷が小さければ、二連界磁回転子（５Ａと５Ｂ）の回転消費エネルギーに比べて合成出力電気エネルギーが増大する余剰電力と相殺効果によって誘導変換された誘導保存エネルギーにより電磁気エネルギー保存則が成り立つ平衡三相交流複合発電機の飛躍的な発電効率を達成する効果がある。
【発明の実施するための最良の形態】
【０００７】  図１は超電導界磁回転子（５Ａ）と反発誘導電機子（１）で構成する３組の反発誘導電機子（１−Ａ’，１−Ｂ’，１−Ｃ’）はＡ’（１−Ａ’）相を基準とする出力端子三相交流反発誘導電流（１Ａ）の位相差２π／３の相順Ａ’相、Ｂ’相、Ｃ’相の説明図である。
【０００８】  図２は、可変界磁回転子（５Ｂ）と吸引誘導電機子（２）で構成する３組の吸引誘導電機子（２−Ａ’，２−Ｂ’，２−Ｃ’）はＡ’（２−Ａ’）相を基準とする三相交流吸引誘導電流（２Ａ）の位相差２π／３の相順Ａ’相、Ｂ’相、Ｃ’相の説明図で、図１と図２は、二連界磁回転子（５Ａと５Ｂ）平衡三相交流複合発電機の三相交流複合電機子（１−Ａ’と２−Ａ’、１−Ｂ’と２−Ｂ’、１−Ｃ’と２−Ｃ’）の組合せ配置説明図を兼ね（１−Ａ’と２−Ａ’）は対の直列又は並列接続複合電機子Ａ’相の合成誘導電流（１Ａと２Ａ）、（１−Ｂ’と２−Ｂ’）は対の直列又は並列接続複合電機子Ｂ’相の合成誘導電流（１Ａと２Ａ）、（１−Ｃ’と２−Ｃ’）は、対の直列又は並列接続複合電機子Ｃ’相の合成誘導電流（１Ａと２Ａ）を示し、合成誘導電流（１Ａと２Ａ）が同方向へ流れるように複合電機子を接続する相順Ａ’相、Ｂ’相、Ｃ’相平衡三相交流複合発電機の三相交流直列又は並列接続の星形結線と三角結線の複合電機子合成出力回路の組合せ構成図を示す。
【０００９】  図３は、複合電機子の合成誘導電流（１Ａと２Ａ）が同方向へ流れるように、Ａ’相反発誘導電機子（１−Ａ’）出力トランス（６）の終端子（終端子に相当する出力端子）とＡ’相吸引誘導電機子（２−Ａ’）の終端子を並列に接続し、Ａ’相反発誘導電機子（１−Ａ’）出力トランス（６）の始端子（始端子に相当する出力端子）と吸引誘導電機子（２−Ａ）の始端子を並列に接続する並列接続Ａ’相複合電機子（１−Ａ’と２−Ａ’）を構成して、同様に並列接続Ｂ’相複合電機子（１−Ｂ’と２−Ｂ’）と並列接続Ｃ’相複合電機子（１−Ｃ’と２−Ｃ’）３組の並列接続複合電機子（１−Ａ’と２−Ａ’、１−Ｂ’と２−Ｂ’、１−Ｃ’と２−Ｃ’）を構成する３組の終端子３本を接続中性点とし、始端子３本をＡ’相、Ｂ’相、Ｃ’相の出力端子とする平衡三相交流複合発電機の三相交流並列接続星形結線複合電機子合成出力回路を構成する。
【００１０】  図４は、反発誘導電機子（１−Ａ’）出力トランス（６）の始端子と吸引誘導電機子（２−Ａ’）の終端子を直列に接続する直列接続Ａ’相複合電機子（１−Ａ’と２−Ａ’）を構成して、同様に直列接続Ｂ’相複合電機子（１−Ｂ’と２−Ｂ’）と直列接続Ｃ’相複合電機子（１−Ｃ’と２−Ｃ’）３組の直列接続複合電機子（１−Ａ’と２−Ａ’、１−Ｂ’と２−Ｂ’、１−Ｃ’と２−Ｃ’）を構成する３組の終端子３本を接続中性点とし、３組の始端子３本をＡ’相、Ｂ’相、Ｃ’相の出力端子とする平衡三相交流複合発電機の三相交流直列接続星形結線複合電機子合成出力回路を構成する。
【００１１】  図５は、吸引誘導電機子（２−Ａ’）の始端子と反発誘導電機子（１−Ａ’）出力トランス（６）の終端子を直列に接続する直列接続Ａ’相複合電機子（１−Ａ’と２−Ａ’）を構成し、同様に直列接続Ｂ’相複合電機子（１−Ｂ’と２−Ｂ’）と直列接続Ｃ’相複合電機子（１−Ｃ’と２−Ｃ’）３組の直列接続複合電機子（１−Ａ’と２−Ａ’、１−Ｂ’と２−Ｂ’、１−Ｃ’と２−Ｃ’）を構成する３組の終端子３本を接続中性点とし、３組の始端子３本をＡ’相、Ｂ’相、Ｃ’相の出力端子とする平衡三相交流複合発電機の三相交流直列接続星形結線複合電機子合成出力回路を構成する。
【００１２】  図６は、Ａ’相反発誘導電機子（１−Ａ’）出力トランス（６）の始端子とＡ’相吸引誘導電機子（２−Ａ’）の始端子を並列に接続して、両方の終端子と終端子を並列に接続する並列接続Ａ’相複合電機子（１−Ａ’と２−Ａ’）を構成して、同様に並列接続Ｂ’相複合電機子（１−Ｂ’と２−Ｂ’）と並列接続Ｃ’相複合電機子（１−Ｃ’と２−Ｃ’）の３組を、並列接続Ａ’相複合電機子（１−Ａ’と２−Ａ’）の終端子から次の並列接続Ｂ’相複合電機子（１−Ｂ’と２−Ｂ’）の始端子へこのＢ’相の終端子から次の並列接続Ｃ’相複合電機子（１−Ｃ’と２−Ｃ’）の始端子へ、このＣ’相の終端子から最初の並列接続Ａ’相複合電機子（１−Ａ’と２−Ａ’）の始端子へ接続して、この接合３点をＡ’相、Ｂ’相、Ｃ’相の出力端子とする平衡三相交流複合発電機の三相交流並列接続三角結線複合電機子合成出力回路を構成する。
【００１３】  図７は、Ａ’相の吸引誘導電機子（２−Ａ’）の終端子と反発誘導電機子（１−Ａ’）出力トランス（６）の始端子を直列に接続する直列接続Ａ’相複合電機子（１−Ａ’と２−Ａ’）を構成して、同様に直列接続Ｂ’相複合電機子（１−Ｂ’と２−Ｂ’）と直列接続Ｃ’相複合電機子（１−Ｃ’と２−Ｃ’）の３組を、直列接続Ａ’相複合電機子の終端子から次の直列接続Ｂ’相複合電機子（１−Ｂ’と２−Ｂ’）の始端子へ、このＢ’相の終端子から次の直列接続Ｃ’相複合電機子（１−Ｃ’と２−Ｃ’）の始端子へ、このＣ’相の終端子から最初の直列接続Ａ’相複合電機子（１−Ａ’と２−Ａ’）の始端子へ接続した接合３点をＡ’相、Ｂ’相、Ｃ’相の出力端子とする平衡三相交流複合発電機の三相交流直列接続三角結線複合電機子合成出力回路を構成する。
【００１４】  図８は、Ａ’相の反発誘導電機子（１−Ａ’）出力トランス（６）の終端子と吸引誘導電機子（２−Ａ’）の始端子を直列に接続する直列接続Ａ’相複合電機子（１−Ａ’と２−Ａ’）を構成し、同様に直列接続Ｂ’相複合電機子（１−Ｂ’と２−Ｂ’）と直列接続Ｃ’相複合電機子（１−Ｃ’と２−Ｃ’）の３組を、直列接続Ａ’相複合電機子（１−Ａ’と２−Ａ’）の終端子から次の直列接続Ｂ’相複合電機子（１−Ｂ’と２−Ｂ’）の始端子へ、このＢ’相の終端子から次の直列接続Ｃ’相複合電機子（１−Ｃ’と２−Ｃ’）の始端子へ、このＣ’相の終端子から最初の直列接続Ａ’相複合電機子（１−Ａ’と２−Ａ’）の始端子へ接続した接合３点をＡ’相、Ｂ’相、Ｃ’相の出力端子とする平衡三相交流複合発電機の三相交流直列接続三角結線複合電機子合成出力回路を構成する。
【００１５】  図９は、二連界磁回転子（５Ａと５Ｂ）平衡三相交流複合発電機の図左（図１参照）に３相交流星型結線反発誘導電機子（１−Ａ’，１−Ｂ’，１−Ｃ’）の三相交流反発誘導電流（１Ａ）Ａ’相，Ｂ’相，Ｃ’相全波整流回路を構成し、図右（図２参照）に三相交流星型結線吸引誘導電機子（２−Ａ’，２−Ｂ’，２−Ｃ’）の三相吸引誘導電流（２Ａ）Ａ’相，Ｂ’相，Ｃ’相全波整流回路を構成して、両方の直流電流を合成する三相交流星型結線複合電機子の全波整流合成直流出力回路（図９）である。
【００１６】  図１０は、二連界磁回転子（５Ａと５Ｂ）平衡三相交流複合発電機の図左に三相交流三角結線反発誘導電機子（１−Ａ’，１−Ｂ’，１−Ｃ’）の三相交流反発誘導電流（１Ａ）Ａ’相，Ｂ’相，Ｃ’相全波整流回路を構成し、図右に三相交流三角結線吸引誘導電機子（２−Ａ’，２−Ｂ’，２−Ｃ’）の三相交流吸引誘導電流（２Ａ）Ａ’相，Ｂ’相，Ｃ’相全波整流回路を構成して、両方の直流電流を合成する三相交流三角結線複合電機子の全波整流合成直流出力回路（図１０）である。
【図面の簡単な説明】
【００１７】
【図１】平衡三相交流複合発電機の超電導界磁回転子（二連界磁回転子５Ａ）と３組の反発誘導電機子（１）の説明図
【図２】平衡三相交流複合発電機の可変界磁回転子（二連界磁回転子５Ｂ）と３組の吸引誘導電機子（２）の説明図
【図３】三相交流並列接続星形結線複合電機子合成出力回路図
【図４】三相交流直列接続星型結線複合電機子合成出力回路図
【図５】三相交流直列接続星型結線複合電機子合成出力回路図
【図６】三相交流並列接続三角結線複合電機子合成出力回路図
【図７】三相交流直列接続三角結線複合電機子合成出力回路図
【図８】三相交流直列接続三角結線複合電機子合成出力回路図
【図９】三相交流星形結線複合電機子全波整流合成出力回路図
【図１０】三相交流三角結線複合電機子全波整流合成出力回路図
【符号の説明】
【００１８】１    反発誘導電機子
１Ａ  反発誘導電流（磁極５Ａに対して反発作用が働く方向の誘導電流）
２    吸引誘導電機子
２Ａ  吸引誘導電流（磁極５Ｂに対して吸引作用が働く方向の誘導電流）
３    空心と同機能のコイル固定用心
４    鉄心
５Ａ  超電導界磁回転子（二連界磁回転子５Ａ）
５Ｂ  可変界磁回転子（二連界磁回転子５Ｂ）
６    出力トランス
７    電圧（励磁電流）制御装置
１−Ａ’  Ａ’相反発誘導電機子（１）
１−Ｂ’  Ｂ’相反発誘導電機子（１）
１−Ｃ’  Ｃ’相反発誘導電機子（１）
２−Ａ’  Ａ’相吸引誘導電機子（２）
２−Ｂ’  Ｂ’相吸引誘導電機子（２）
２−Ｃ’  Ｃ’相吸引誘導電機子（２）
【図１】
2006158165.tif 000003
【図２】
2006158165.tif 000004
【図３】
2006158165.tif 000005
【図４】
2006158165.tif 000006
【図５】
2006158165.tif 000007
【図６】
2006158165.tif 000008
【図７】
2006158165.tif 000009
【図８】
2006158165.tif 000010
【図９】
2006158165.tif 000011
【図１０】
2006158165.tif 000012